(57)【要約】【課題】つなぎ部における印刷画像の濃度変化を低減し、画質の向上を図る。【解決手段】１又は複数の記録ヘッドの走査で出力する画像単位に画像データを変換する画像変換装置であって、記録ヘッドの端部が重複するように走査される場合の記録ヘッドの端部が重複する領域、又は隣接する２つの記録ヘッドの端部が重複する場合の２つの記録ヘッドの端部が重複する領域を形成する各画素を、異なるノズルを用いて少なくとも２回のインク吐出により形成されるように画像データを変換する画像データ変換部を備える。【選択図】図４
2014113708.tif 000002
【特許請求の範囲】
【請求項１】
１又は複数の記録ヘッドの走査で出力する画像単位に画像データを変換する画像変換装置であって、
前記記録ヘッドの端部が重複するように走査される場合の該記録ヘッドの端部が重複する領域、又は隣接する２つの記録ヘッドの端部が重複する場合の該２つの記録ヘッドの端部が重複する領域を形成する各画素を、異なるノズルを用いて少なくとも２回のインク吐出により形成されるように画像データを変換する画像データ変換部
を備える画像変換装置。
【請求項２】
前記記録ヘッドは、少なくとも２種類以上のインク滴量で画素を形成可能であり、
前記画像データ変換部は、
前記重複する領域を形成する各画素について、前記２回のインク吐出のうち、一方のインク滴量を、他方のインク適量より少なくするように画像データを変換する請求項１記載の画像変換装置。
【請求項３】
前記重複する領域に形成された各画素に対する濃度の高低を示す高低情報を入力する入力手段をさらに備え、
前記記録ヘッドは、少なくとも２種類以上のインク滴量で画素を形成可能であり、
前記画像データ変換部は、
前記入力手段により入力された高低情報に基づいて、インク滴量を変化させるように前記重複する領域を形成する各画素に対する画像変換の方法を切り替える請求項１又は２記載の画像変換装置。
【請求項４】
前記入力手段は、
前記記録ヘッド周囲の温度を示す温度情報を入力し、
前記画像データ変換部は、
前記温度情報に基づいて、インク滴量を変化させるように前記重複する領域を形成する各画素に対する画像変換の方法を切り替える請求項３記載の画像変換装置。
【請求項５】
請求項１記載の画像変換装置と、
前記１又は複数の記録ヘッドを有する画像形成部と、
を備える画像形成装置。
【請求項６】
請求項１記載の画像変換装置を有する情報処理装置と、
前記情報処理装置とデータ通信可能なように接続された画像形成装置と
を備える画像形成システム。
【請求項７】
インクと、記録媒体とを用いて出力物を生産する出力物の生産方法であって、
１又は複数の記録ヘッドの走査で出力する画像単位に画像データを変換する際、前記記録ヘッドの端部が重複するように走査される場合の該記録ヘッドの端部が重複する領域、又は隣接する２つの記録ヘッドの端部が重複する場合の該２つの記録ヘッドの端部が重複する領域を形成する各画素を、異なるノズルを用いて少なくとも２回のインク吐出により形成されるように画像データを変換する画像データ変換ステップと、
前記画像データ変換ステップにより変換された画像データに基づき、前記重複する領域を形成する各画素を、前記２回のインク吐出により前記記録媒体に形成する画像形成ステップと、
を有する生産方法。
【発明の詳細な説明】
【技術分野】
【０００１】
本発明は、画像変換装置、画像形成装置、画像形成システム、及び生産方法に関する。
【背景技術】
【０００２】
従来、インクジェット方式の記録ヘッドを備えた画像形成装置は、比較的安価に構成できることから、個人・業務用を問わず、様々なユーザに使用されている。
【０００３】
また、ユーザにとって高速な印刷のニーズは高く、印刷の高速化のために、１度の記録ヘッド走査で記録ヘッド幅分の印刷を行う印刷モード（以降、１スキャン印刷モードと呼ぶ）がある。また、印刷の高速化のために、記録幅を長く確保するために記録ヘッドを複数本組み合わせる方式（以降、つなぎヘッドと呼ぶ）が用いられている。
【０００４】
高速な印刷と高画質印刷とは、トレードオフの関係になっており、高速な印刷モードにおいては、画質の劣化を低減するための技術が用いられる。
【０００５】
１スキャン印刷モードにおいては、記録ヘッドの各走査による記録領域の境界の画質劣化を低減する目的で、記録領域を一部重ねて、印刷する技術（以降、スキャン間オーバーラップと呼ぶ）がある。また、つなぎヘッドにおいては、記録ヘッドの端部のつなぎ目の画質劣化を低減する目的で、記録ヘッドの端部を所定ノズル幅分重ねて配置する技術（以降、ヘッド間オーバーラップと呼ぶ）が既に知られている。
【０００６】
スキャン間オーバーラップ部で印字される領域と、ノズル間オーバーラップ部で印字される領域は、どちらも所定のノズル数を重ねて印字することから、両方を特に区別せず、以降では、つなぎ部とも呼ぶ。
【０００７】
つなぎ部における画質劣化を低減する技術として、例えば、白スジ発生時には、つなぎ部に隣接するノズルのインク吐出量を増加させ、黒スジ発生時には、つなぎ部に隣接するノズルのインク吐出量を増減させる技術がある（例えば特許文献１参照）。
【発明の概要】
【発明が解決しようとする課題】
【０００８】
インクジェット方式の記録ヘッドを備えた画像形成装置では、記録ヘッドを走査させ、記録ヘッド幅分の領域の画像形成を行った後に、所定の量の記録紙の搬送を行い、次の領域の画像形成を行う。しかし、この時に記録紙の搬送が高精度に行われないと、記録ヘッドの各走査における画像形成の相対位置が合わなくなり、印字画像ずれが発生する。
【０００９】
また、つなぎヘッドにおいては、ヘッド間オーバーラップを用いた場合、記録ヘッドの取り付け位置の位置合わせが高精度に行われないと、記録ヘッド間のノズルの相対位置が合わなくなり、インクの着弾位置ずれが発生する。
【００１０】
上記の印字画像ずれ、インクの着弾位置ずれは、１スキャン印刷モードでは特に目立つ。記録紙搬送の量が大きい場合や、つなぎヘッドが離れて取り付けられている場合、つなぎ部において印刷画像が薄くなる（白スジ状になる）。
【００１１】
また、記録紙搬送の量が小さい場合、つなぎヘッドが近づいて取り付けられている場合、つなぎ部において、印刷画像が濃くなる（黒スジ状になる）。
【００１２】
また、上記のようなつなぎ部の印刷画像の濃度変化が発生することにより、つなぎ部の前後で画像が帯状になっているように見えてしまい（バンディング）、画質の劣化が目立ってしまう。
【００１３】
また、特許文献１における技術では、つなぎ部全体を同領域とみなすおおよその範囲では、面積あたりのインク量のばらつきは低減され、マクロな視点で見れば濃度のばらつきは低減されると言える。
【００１４】
しかし、つなぎ部と前後ラインの領域を別領域として考えれば、つなぎ部とつなぎ部前後の領域との濃度差が現れる場合がある。
【００１５】
よって、従来技術では、つなぎ部の印刷画像の濃度変化が発生することにより、つなぎ部における画質の劣化を十分に改善していないという問題点があった。
【００１６】
そこで、本発明は、つなぎ部における印刷画像の濃度変化を低減し、画質の向上を図ることを目的とする。
【課題を解決するための手段】
【００１７】
本発明の一観点における画像変換装置は、１又は複数の記録ヘッドの走査で出力する画像単位に画像データを変換する画像変換装置であって、前記記録ヘッドの端部が重複するように走査される場合の該記録ヘッドの端部が重複する領域、又は隣接する２つの記録ヘッドの端部が重複する場合の該２つの記録ヘッドの端部が重複する領域を形成する各画素を、異なるノズルを用いて少なくとも２回のインク吐出により形成されるように画像データを変換する画像データ変換部を備える。
【発明の効果】
【００１８】
本発明によれば、つなぎ部における印刷画像の濃度変化を低減し、画質の向上を図ることができる。
【図面の簡単な説明】
【００１９】
【図１】実施例１におけるインクジェット方式の記録ヘッドを備えた画像形成装置の概略構成例を示す図。
【図２】画像形成に関する機構の構成の一例を示す図。
【図３】記録ヘッドの一例を示す図。
【図４】実施例１における画像形成装置の制御に関する構成の一例を示すブロック図。
【図５】ノズル間オーバーラップの一例を示す図。
【図６】スキャン間オーバーラップの一例を示す図。
【図７】比較例におけるつなぎ部の画像形成を説明する図。
【図８】比較例によるつなぎ部の画像形成の課題について説明する図。
【図９】実施例におけるつなぎ部の画像形成について説明する図。
【図１０】インク滴サイズとインク使用量の一例を示す図。
【図１１】画像データ変換部によるつなぎ部のデータ変換のパラメータの一例を示す図。
【図１２】図１１に示す変換パラメータを用いた場合のつなぎ部の画像形成の例を示す図。
【図１３】画像データ変換部によるつなぎ部のデータ変換のパラメータの別例を示す図。
【図１４】つなぎ部調整用のパターンの一例を示す図。
【図１５】図１３に示す変換パラメータを用いた場合のつなぎ部の画像形成の例を示す図。
【図１６】周囲温度の変化による、インク滴のインク使用量の変化と、温度に応じた変換パラメータの切り替えについて説明する図。
【図１７】実施例１における画像変換処理の一例を示すフローチャート。
【図１８】ライン方式の画像形成を説明する図。
【図１９】実施例２における画像形成システムの一例を示す図。
【図２０】実施例２における各部の概略構成例を示す図。
【図２１】実施例３における出力物の生産処理の一例を示すフローチャート。
【発明を実施するための形態】
【００２０】
以下、添付図面を参照し、本発明の各実施例について説明する。
［実施例１］
＜構成＞
（全体構成）
図１は、実施例１におけるインクジェット方式の記録ヘッドを備えた画像形成装置１００の概略構成例を示す図である。
【００２１】
画像形成装置１００は、カッター１、搬送ローラ２、空気吸引装置３、キャリッジ４、記録ヘッド５、ガイドロッド６、プラテン７、キャリッジモータ８、紙送りモータ９、モータ制御部１０、記録紙（記録媒体）１１を含む。
【００２２】
記録紙１１は、ロール状に巻かれた紙の筒である。搬送ローラ２は、記録紙１１を副走査方向に搬送する。副走査方向は、Ｙ方向である。搬送ローラ２は、紙送りモータ９の駆動により回転する。紙送りモータ９は、モータ制御部１０により制御される。
【００２３】
プラテン７は、搬送ローラ２により搬送された記録紙１１を支持する。空気吸引装置３は、プラテン７の下部に設けられ、プラテン７上に空けられた空気穴より空気を吸引する。これにより、記録紙１１は、たわむことなくプラテン７上を搬送される。
【００２４】
キャリッジ４は、記録紙１１が一定量搬送されると、主走査方向に走査される。主走査方向は、Ｘ方向である。ガイドロッド６は、キャリッジ４を支持する。キャリッジ４は、記録ヘッド５を支持する。キャリッジ４は、キャリッジモータ８により主走査方向に駆動する。キャリッジモータ８は、モータ制御部１０により制御される。
【００２５】
モータ制御部１０は、キャリッジモータ８及び紙送りモータ９を制御する。キャリッジ４が主走査方向に走査すると同時に、記録ヘッド５に備えられた複数のノズルからインクが吐出され、記録紙１１上に画像を形成する。この記録紙１１の搬送と、キャリッジ４の走査を繰り返して画像形成が実現する。
【００２６】
記録紙１１へ画像形成するべきデータが無くなると、画像形成動作が終了する。記録紙１１は、カッター１によって裁断され、後段の搬送ローラ２によって排出される。
【００２７】
なお、図１に示すインクジェット方式以外に、Ａ３やＢ５などの記録紙を紙送り機構に配置する一般的なインクジェット方式の画像形成装置にも、本発明は適用できることは言うまでもない。
【００２８】
（画像形成に関する機構の構成）
図２は、画像形成に関する機構の構成の一例を示す図である。図２に示すように、キャリッジ４は、ガイドロッド６によって支持され、キャリッジ４が主走査方向（Ｘ方向）に移動する。キャリッジ４は、移動しながら複数の記録ヘッド５を用いて記録紙１１に微少なインク滴を吐出することで、画像形成を行う。
【００２９】
記録紙１１は、プラテン７に支えられ、画像形成動作の開始時に副走査方向（Y方向）へと搬送される。記録紙１１の搬送と、キャリッジ４の移動を繰り返し、画像形成動作を実現する。記録紙１１に記録するべきデータがなくなると、画像形成動作が終了し、記録紙１１が排出される。
【００３０】
（記録ヘッド）
図３は、記録ヘッドの一例を示す図である。記録ヘッド５は、複数のノズル１２を有する。ノズル１２は、キャリッジ４の移動方向（主走査方向：Ｘ方向）に対して垂直な方向（副走査方向：Ｙ方向）に並び、ノズル列を形成している。
【００３１】
ｎ１，ｎ３，ｎ５，・・・，ｎ１９で構成されるノズル列と、ｎ２，ｎ４，ｎ６，・・・，ｎ２０で構成されるノズル列は、同色、もしくは異色のインクを吐出することができる。また、図２に示すように、キャリッジ４内に複数個配置された各記録ヘッド５の各ノズル１２列からインクが吐出されることで、記録紙１１上に画像が形成される。
【００３２】
（制御に関する構成）
次に、画像形成装置１００の制御に関する構成について説明する。図４は、実施例１における画像形成装置１００の制御に関する構成の一例を示すブロック図である。画像形成装置１００は、画像変換部１０１、ＣＰＵ（Central Processing Unit）１０２、画像形成部１０３、及び操作表示部１０４を有する。ＣＰＵ１０２は、外部の情報処理装置内部にあってもよい。
【００３３】
画像変換部１０１は、ヘッド構成に合わせた画像データの変換処理を行い、例えば、一つの基板上に実装されうる。また、画像変換部１０１は、画像変換装置とも称す。画像形成部１０３は、記録ヘッド５に画像データを出力し、記録紙１１の搬送、キャリッジ４の移動を制御し、例えば、一つの基板上に実装されうる。操作表示部１０４は、例えば、オペレーションパネルである。
【００３４】
画像変換部１０１は、ＲＡＭ１１１、画像処理部１１２、インターフェース１１５、及び画像データ変換部１１６を含む。画像変換部１０１は、１又は複数の記録ヘッドの走査で出力する画像単位に画像データを変換し、変換された画像データに基づいてインク吐出制御を行う。
【００３５】
ＲＡＭ１１１は、記憶手段であり、多値の画像データや、１スキャン分の画像単位に変換された画像データ等を記憶する。
【００３６】
画像処理部１１２は、ＲＡＭ１１１に記憶される多値の画像データを、小値の画像データに変換する。多値の画像データは、吐出する滴の種類に等しい階調数に変換される。
【００３７】
インターフェース１１５は、ＣＰＵ１０２や画像形成部１０３と通信を行う。例えば、インターフェース１１５は、画像データ変換部１１６により変換されたデータに基づく、記録ヘッド５のインクを吐出する信号を画像形成部１０３に出力する。
【００３８】
また、インターフェース１１５は、つなぎ部に形成された各画素に対する濃度の高低を示す高低情報を入力する入力手段としても機能し、また、記録ヘッド５周囲の温度を示す温度情報を入力する入力手段としても機能する。
【００３９】
画像データ変換部１１６は、インターフェース１１５を介して、ＣＰＵ１０２より与えられた印刷モードと記録ヘッド部１３６の構成に合わせて、記録ヘッド５ごとに、１度のヘッド走査（１スキャン）で出力する画像単位に小値の画像データを変換する。変換された画像データはＲＡＭ１１１に記憶される。
【００４０】
なお、印刷モードによる変換は、画像処理部１１２で行って、記録ヘッド５に関する変換処理だけを画像データ変換部１１６で行ってもよい。また、画像処理部１１２と画像データ変換部１１６は、同じ機能ブロックであってもよい。
【００４１】
画像データ変換部１１６は、例えば、記録ヘッド５の端部が重複するように走査される場合の記録ヘッド５の端部が重複する領域（つなぎ部）を形成する各画素を、異なるノズルを用いて少なくとも２回のインク吐出により形成されるように画像データを変換する。また、画像データ変換部１１６は、隣接する２つの記録ヘッドの端部が重複する場合の２つの記録ヘッドの端部が重複する領域（つなぎ部）を形成する各画素を、異なるノズルを用いて少なくとも２回のインク吐出により形成されるように画像データを変換する。
【００４２】
これにより、つなぎ部において、記録ヘッドのノズルで、画素（ドット）を打ち分けるのではなく、なるべく全てのノズルを使用するようにするため、つなぎ部における濃度変化を低減しやすくなる。
【００４３】
また、画像データ変換部１１６は、重複する領域を形成する各画素について、異なるノズルを用いて少なくとも２回のインク吐出のうち、一方のインク滴量を、他方のインク適量より少なくするように画像データを変換してもよい。
【００４４】
これにより、つなぎ部の画素のインク量を減らして、変換前の濃度を保つことができる。
【００４５】
また、画像データ変換部１１６は、インターフェース１１５により入力された高低情報に基づいて、インク滴量を変化させるように重複する領域を形成する各画素に対する画像変換の方法を切り替えてもよい。高低情報については後述する。
【００４６】
これにより、黒スジ、白スジに応じて変換パラメータを切り替えて、つなぎ部における画質を向上させることができる。
【００４７】
また、画像データ変換部１１６は、インターフェース１１５により入力された温度情報に基づいて、インク滴量を変化させるように重複する領域を形成する各画素に対する画像変換の方法を切り替えてもよい。
【００４８】
これにより、記録ヘッド５周囲の温度に応じて変換パラメータを切り替えて、つなぎ部における画質を向上させることができる。
【００４９】
ＣＰＵ１０２は、ユーザなどにより設定された印刷モードを画像変換部１０１に通知したり、紙送り量を画像形成部１０３に通知したりする。
【００５０】
画像形成部１０３は、インターフェース１３１、記録ヘッド制御部１３２、ＲＡＭ１３３、モータ制御部１３４、温度センサ１３５、及び記録ヘッド部１３６を含む。
【００５１】
画像形成部１０３は、インターフェース１３１を介して画像変換部１０１から画像データを受信し、ＲＡＭ１３３に記録する。
【００５２】
モータ制御部１３４（図１に示すモータ制御部１０）は、ＣＰＵ１０２により通知される紙送り量に応じて、紙送りモータ９を制御する。これにより、記録紙１１は、副走査方向に送られる。
【００５３】
記録ヘッド制御部１３２は、ＲＡＭ１３３に記憶された画像データを、記録ヘッド部１３６に転送し、インクを吐出させる。この画像データの転送と同期して、モータ制御部１３４は、キャリッジモータ８を制御する。これにより、記録ヘッド部１３６を含むキャリッジ４は、主走査方向に移動する。
【００５４】
記録ヘッド部１３６の記録ヘッド５は、記録ヘッド制御部１３２から転送される画像データに応じて、記録紙１１上へとインクを吐出し、画像形成を行う。このとき、つなぎ部により形成される各画素は、異なるノズルを用いて少なくとも２回のインク吐出により形成される。
【００５５】
温度センサ１３５は、画像形成部１０３、例えば記録ヘッド５の周囲の温度を取得し、ＣＰＵ１０２に温度情報を通知する。
【００５６】
操作表示部１０４は、表示部１４１、入力部１４２、及びインターフェース１４３を含む。
【００５７】
表示部１４１は、インターフェース１４３を介してＣＰＵ１０２から転送される画像情報、文字情報などを表示させる。
【００５８】
入力部１４２は、画像形成部１０３の使用者が、印刷条件等の各種設定を入力するための手段である。操作表示部１０４は、入力された情報を、インターフェース１４３を介してＣＰＵ１０２に送ることができる。
【００５９】
＜オーバーラップ領域（重複する領域）＞
次に、オーバーラップ領域について説明する。まずは、ノズル間オーバーラップについて説明する。図５は、ノズル間オーバーラップの一例を示す図である。図５に示すように、記録ヘッド５Ａと記録ヘッド５Ｂとは、端部のノズルが所定の数だけ重なるように配置される。図５に示すような配置で構成されたヘッドを、つなぎヘッドと呼ぶ。記録ヘッド５の端部ノズルが重なった領域を、ノズル間つなぎ部ａｒ１０１と呼ぶ。
【００６０】
つなぎヘッドが主走査方向に走査しながらインクを吐出し、記録紙１１上に画像形成を行う場合、図５に示すように記録ヘッド５Ａと記録ヘッド５Ｂの画像形成領域の一部が重複する。この重複した領域を、ノズル間オーバーラップ部ａｒ１０２と呼ぶ。
【００６１】
ノズル間つなぎ部ａｒ１０１では、記録ヘッド５Ａと記録ヘッド５Ｂのノズルの副走査（Ｙ方向）位置が一致するように配置されることが理想である。しかし、記録ヘッド５をつなぐ際の組み付けか高精度に行われないと、各ノズルの相対位置にズレが生じ、ノズル間オーバーラップ部ａｒ１０２において画像のスジやムラが発生する場合がある。
【００６２】
図５に示す例では、端部ノズルが３ノズル分重なった場合の例を示したが、実施例においてノズルの重なり数は特に限定しない。
【００６３】
次に、スキャン間オーバーラップについて説明する。図６は、スキャン間オーバーラップの一例を示す図である。図６に示す記録ヘッド５は、主走査方向に走査しながらインクを吐出し、記録紙１１上に画像を形成する（スキャン１）。その後、記録紙１１は副走査方向に搬送され、記録ヘッド５は、再度画像を形成する（スキャン２）。
【００６４】
この時、記録紙１１の搬送量を、記録ヘッド５の副走査幅に対し、所定のノズル数分だけ減らすことで、スキャン１とスキャン２とで形成する画像領域の一部を重複させることができる。この重複した領域を、スキャン間オーバーラップ部ａｒ１０３と呼ぶ。
【００６５】
スキャン間オーバーラップ部ａｒ１０３では、スキャン１とスキャン２との端部ノズルの副走査（Ｙ方向）位置が一致するように配置されることが理想である。しかし、用紙搬送が高精度に行われないと、スキャン間オーバーラップ部ａｒ１０３の画像形成をする際の各ノズルの相対位置にズレが生じ、画像のスジやムラが発生する場合がある。
【００６６】
図６に示す例では、端部ノズルが３ノズル分重なった場合の例を示したが、実施例においてノズルの重なり数は特に限定しない。
【００６７】
スキャン間オーバーラップは、記録紙１１の搬送方向（副走査方向）に対し直交する方向（主走査方向）に記録ヘッド５を走査させる。スキャン間オーバーラップは、複数回の記録ヘッド５の走査と、複数回の記録紙の搬送を繰り返して画像形成を行う画像形成装置（シリアル方式のインクジェットプリンタ）のみに用いられる。
【００６８】
一方、ノズル間オーバーラップは、記録幅分の記録ヘッドを有し、一度の用紙搬送で画像形成を行う画像形成装置（ラインヘッド方式のインクジェットプリンタ）においても用いられる。
【００６９】
スキャン間オーバーラップ部で印字される領域と、ノズル間オーバーラップ部で印字される領域は、どちらも所定のノズル数を重ねて印字することから、画像形成上は特に区別されない。本実施例では、つなぎ部と呼ぶ場合、スキャン間オーバーラップ部とノズル間オーバーラップ部の両方を含むものとする。
【００７０】
＜比較例による画像形成＞
ここで、本実施理と従来技術との違いを説明するために、まずは、従来技術の比較例におけるつなぎ部の画像形成について説明する。
【００７１】
図７は、比較例におけるつなぎ部の画像形成を説明する図である。図７に示す例では、つなぎ部では、副走査位置が重複したノズルで同一の画像を形成するが、そのままではインクが重ねて吐出されてしまい、画像濃度が濃くなる。そのため、画像変換部の画像データ変換部で、つなぎ部の各ノズルのインク吐出を制御し、濃度が濃くなることを回避する。
【００７２】
図７に示す例では、比較例における各ノズルのインク吐出制御の一例を示す。上流側の記録ヘッドと、下流側の記録ヘッドとは、つなぎ部の画像形成領域ａｒ２０１に対し、図７に示すように、インクを千鳥状に打ち分ける。
【００７３】
なお、上流側の記録ヘッドと下流側の記録ヘッドとは、図５に示したつなぎヘッドの記録ヘッド５Ａと記録ヘッド５Ｂの関係と、図６に示したスキャン間オーバーラップのスキャン１とスキャン２の関係の両方を含む。
【００７４】
比較例は、つなぎヘッドの組み付け誤差や、記録用紙搬送誤差による画質劣化を低減するための技術であるが、この場合にも、画質劣化は充分に低減できない。
【００７５】
図７に示す例では、主走査方向、副走査方向交互に１ドットずつの打ち分けを行う例を示しているが、打ち分け方についてはこの方法に限定しない。また、上流側の記録ヘッドのみ、もしくは下流側の記録ヘッドのみでつなぎ部の画像形成領域ａｒ２０１の画像形成を行う場合においても、上記の課題は解決されない。
【００７６】
次に、比較例における課題について図８を用いて説明する。図８は、比較例によるつなぎ部の画像形成の課題について説明する図である。図８に示す模式図ａｒ２１１〜ａｒ２１３は、ドットの着弾位置を表した模式図である。また、図８に示す模式図ａｒ２１１〜ａｒ２１３内の白抜きの丸は、上流側の記録ヘッドによるインクの着弾位置を表し、黒塗りの丸は、下流側の記録ヘッドによるインクの着弾位置を表す。また、丸の大きさはインク滴の大きさ、すなわちインク使用量を表す。
【００７７】
図８に示す模式図ａｒ２２１〜ａｒ２２３は、インク使用量を１画素単位の面積で濃度に変換した模式図であり、実際に印字される画像のイメージ図である。
【００７８】
図８（Ａ）は、つなぎ部のノズル配置が、ズレなく理想的に配置されている場合の模式図である。ドットは均等に配置され、つなぎ部の画質の劣化は生じない。
【００７９】
図８（Ｂ）は、つなぎ部のノズルが近づく方向に位置する場合の模式図である。つなぎ部の端部ではドット間の密度が狭くなり、画像濃度が濃くなる。この現象が、黒スジ画像の原因となる。
【００８０】
この時、比較例では、つなぎ部に隣接するノズルのインク吐出量を減らすと共に、つなぎ部でドットの打ち分けを行う。図７に示すドット打ち分けを用いた場合、打ち分けパターンがつなぎ部内に現れ、画質が劣化する。
【００８１】
図８（Ｃ）は、つなぎ部のノズルが離れる方向に位置する場合の模式図である。つなぎ部の端部ではドット間の密度が疎になり、画像濃度が薄くなる。この現象が、白スジ画像の原因となる。
【００８２】
この時、比較例では、つなぎ部に隣接するノズルのインク吐出量を増やすと共に、つなぎ部でドットの打ち分けを行う。図７に示すドット打ち分けを用いた場合、打ち分けパターンが画像内に現れ、画質が劣化する。
【００８３】
＜実施例による画像形成＞
次に、実施例による画像形成について説明する。図９は、実施例におけるつなぎ部の画像形成について説明する図である。
【００８４】
前述したように、つなぎ部では、副走査位置が重複したノズルで同一の画像を形成するが、そのままではインクが重ねて吐出されてしまい、画像濃度が濃くなる。そのため、画像変換部１０１の画像データ変換部１１６で、つなぎ部の各ノズルのインク吐出を制御し、濃度が濃くなることを回避する。
【００８５】
実施例では、つなぎ部のノズルによるインクの打ち分けではなく、つなぎ部の全ノズルを使用するようにして、画像を形成する。この時、画像データ変換部１１６におけるインク吐出制御において、変換前後でつなぎ部の画像濃度が変化しないように、つなぎ部の滴サイズを変化させる。具体的な例については後述する。
【００８６】
図９に示す例は、実施例における各ノズルのインク吐出制御の一例を示す。上流側の記録ヘッドと、下流側の記録ヘッドは、つなぎ部の画像形成領域ａｒ３０１に対し、図９に示すように滴サイズを変化させ、全てのノズルを使用するようにし、画像を形成する。
【００８７】
これにより、つなぎ部の濃度変化を低減させ、黒スジ、白スジをより目立たなくすることができる。つまり、つなぎヘッドの組み付け誤差や、記録用紙搬送誤差による画質劣化の低減効果を高めることができる。
【００８８】
＜インク滴サイズとインク使用量＞
図１０は、インク滴サイズとインク使用量の一例を示す図である。図１０では、記録ヘッド５が吐出する滴サイズが大滴、中滴、小滴の３種類である場合の例を示す。記録ヘッド５は、少なくとも２種類以上のインク滴量で画素を形成可能であればよい。
【００８９】
図１０に示す例では、インク使用量比率が、大滴：中滴：小滴：滴なし＝１２：５：２：０となる。
【００９０】
例えば、大滴吐出となるデータを、つなぎ部のデータ変換によって２つのノズルで吐出するデータに変換する場合、画像データ変換部１１６は、変換前後のインク使用量の差がなるべく小さい組み合わせを選ぶ。例えば、画像データ変換部１１６は、中滴＋中滴で印字するか、大滴＋小滴で印字する２つのパターンが考えられるが、どちらの場合においてもインク使用量が変化してしまう（大滴＝１２、中滴＋中滴＝１０、大滴＋小滴＝１４）。
【００９１】
そのため、画像データ変換部１１６は、単位面積あたりのインク使用量がなるべく変化しないような変換パラメータを与える。変換パラメータについては後述する。
【００９２】
図１０に示す例では、記録ヘッド５が吐出する滴サイズが大滴、中滴、小滴の３種類である場合の例を記載したが、実施例において滴の種類は３種類に限定されない。以降に示す実施例も同様である。
【００９３】
また、気温などの環境変化やその他の要因によって、各滴サイズのインク使用量が変化する場合、画像データ変換部１１６は、インク使用量の変化に応じて変換パラメータを切り替えるようにしてもよい。
【００９４】
＜変換パラメータ＞
図１１は、画像データ変換部１１６によるつなぎ部のデータ変換のパラメータの一例を示す図である。以降では、このパラメータを、変換パラメータとも呼ぶ。
【００９５】
図１１（Ａ）は、変換パラメータ情報の一例を示す。変換パラメータ情報は、変換パラメータの値と、各値が設定された際に変換する滴サイズとを関連付けて保持する。なお、副走査方向先端側（座標０側）のつなぎ部の記録ヘッドを上流側ヘッド、後端部側のつなぎ部の記録ヘッドを下流側ヘッドと呼ぶ。
【００９６】
図１１（Ｂ）は、つなぎ部の上流側のヘッドの、各ノズル出力データの対する変換パラメータの変換パターンｐ１０１を示す。図１１（Ｂ）に示す１行目が、上流側のつなぎヘッド部の上端ノズルに対するパラメータで、２行目が２番目のノズルに対するパラメータで、３行目が下端ノズルに対するパラメータである。
【００９７】
列方向は、主走査位置を表しており、主走査位置が１画素分変わる毎に、変換パラメータが１列分切り替えられる。また、変換パラメータが４列分切り替えられた場合、次は１列目へと戻る。つまり、主走査方向において、この変換パターンｐ１０１が繰り返される。
【００９８】
図１１（Ｃ）は、つなぎ部の下流側のヘッドの、各ノズル出力データの対する変換パラメータの変換パターンｐ１０２を示す。図１１（Ｃ）に示す変換パラメータの構成は、図１１（Ｂ）に示す構成と同様である。
【００９９】
本実施例では、変換後のインク使用量が増える場合と減る場合とを、主走査１ドットおきに交互に組み合わせた変換パターンとなる。
【０１００】
ＣＰＵ１０２は、内部の記録領域に上流側及び下流側の変換パターンｐ１０１、ｐ１０２を記憶し、印刷開始時に上流側及び下流側の変換パターンｐ１０１、ｐ１０２を画像変換部１０１に設定する。
【０１０１】
また、本実施例では、記録ヘッド５が吐出する滴サイズが大滴、中滴、小滴の３種類である場合の例を示したが、本実施例において滴の種類は３種類に限定されない。以降の例も同様である。
【０１０２】
図１２は、図１１に示す変換パラメータを用いた場合のつなぎ部の画像形成の例を示す図である。図１２に示すつなぎ部の画像における画質劣化を低減する効果について説明する。
【０１０３】
図１２に示す模式図ａｒ４０１、ａｒ４０２は、ドットの着弾位置を表した模式図である。図１２に示す白抜きの丸は、上流側の記録ヘッドによるインクの着弾位置を表し、黒塗りの丸は、下流側の記録ヘッドによるインクの着弾位置を表す。また、丸の大きさはインク滴の大きさを表す。
【０１０４】
模式図ａｒ４１１、ａｒ４１２は、インク使用量を1画素単位の面積で濃度に変換した模式図であり、実際に印字される画像のイメージ図である。
【０１０５】
図１２（Ａ）は、つなぎ部のノズルが近づく方向に位置する場合の模式図である。図１２（Ａ）に示す模式図ａｒ４０１と、図８（Ｂ）に示す模式図ａｒ２１２と比較した場合に、インク使用量の単位面積あたりのばらつきが軽減されている。
【０１０６】
これにより、印字画像のつなぎ部の濃度変化が低減し、黒スジをより目立たなくすることができる。
【０１０７】
図１２（Ｂ）は、つなぎ部のノズルが離れる方向に位置する場合の模式図である。図１２（Ｂ）に示す模式図ａｒ４０２と図８（Ｃ）に示す模式図ａｒ２１３と比較した場合に、インク使用量の単位面積あたりのばらつきが軽減されている。
【０１０８】
これにより、印字画像のつなぎ部の濃度変化が低減し、白スジをより目立たなくすることができる。
【０１０９】
上記の例のように、できるだけ全てのノズルを使用して印字を行うことで、つなぎ部のノズル位置のズレによる画像劣化が低減できる。
【０１１０】
図１３は、画像データ変換部１１６によるつなぎ部のデータ変換のパラメータの別例を示す図である。
【０１１１】
図１３に示す図では、つなぎ部のノズルが近づく方向に位置する場合と離れる方向に位置する場合、つまり黒スジ発生時と白スジ発生時に、つなぎ部データの変換パラメータを切り替える場合の例を示す。
【０１１２】
ＣＰＵ１０２は、内部の記録領域に変換パターンｐ１０１、ｐ１０２に加え、変換パターンｐ１１１、ｐ１１２、ｐ１２１、ｐ１２２を記憶しておく。
【０１１３】
ユーザは、印刷前に、つなぎ部調整用のパターンを印刷し、ノズル間オーバーラップ部、スキャン間オーバーラップ部で印字された画像に黒スジがあるか、白スジがあるか、スジがないかを判定する。ノズル間オーバーラップ部、スキャン間オーバーラップ部毎に、黒スジ、白スジ、又はスジなしを示す情報（高低情報）が、操作表示部１０４の入力部１４２を介して画像変換部１０１や画像形成部１０３に設定される。
【０１１４】
ＣＰＵ１０２は、操作表示部１０４のインターフェース１４３を介して、ユーザが設定した黒スジ、白スジ、スジなしの情報を取得し、ＣＰＵ１０２内部の記録領域に記録する。
【０１１５】
ＣＰＵ１０２は、内部の記録領域に記録された黒スジ、白スジ、スジなしの情報に従い、印刷時に画像変換部１０１につなぎ部データの変換パラメータを設定する。
【０１１６】
黒スジ発生時には、変換パターンｐ１１１およびｐ１１２が、画像変換部１０１に設定される。
【０１１７】
黒スジ発生時には、上流側ヘッドの下端ノズル、下流側ノズルの上端ノズルの出力するインク滴の重み付けを減らし、つなぎ部端部の濃度を低下させる。
【０１１８】
白スジ発生時には、変換パターンｐ１２１およびｐ１２２が、画像変換部１０１に設定される。
【０１１９】
白スジ発生時には、上流側ヘッドの上端ノズル、下流側ノズルの下端ノズルの出力するインク滴の重み付けを増やし、つなぎ部端部の濃度を上昇させる。
【０１２０】
スジなしの時には、変換パターンｐ１０１およびｐ１０２が、画像変換部１０１に設定される。
【０１２１】
（つなぎ部調整用のパターン）
ここで、つなぎ部調整用のパターンについて説明する。図１４は、つなぎ部調整用のパターンの一例を示す図である。ユーザは、操作表示部１０４の入力部１４２を介してつなぎ部調整用のパターンの印刷を選択する。ユーザの選択後に、図１４に示す記録ヘッド５のパターンの印刷が実行される。
【０１２２】
このパターンの印刷時、画像変換部１０１は、つなぎ部を含んだ周囲の領域を、全て同一の滴で印字するような画像データを生成する。
【０１２３】
ＣＰＵ１０２は、上流側の記録ヘッドのノズルを全て使用し、下流側の記録ヘッドのノズルは全て使用しないようなつなぎ部調整用のパターンｐ１３１およびｐ１３２を、画像変換部１０１に設定する。
【０１２４】
ユーザは、印刷された画像ｉ１０１およびｉ１０２を目視で確認し、周囲の濃度と中央部の濃度を比較する。
【０１２５】
ユーザは、画像ｉ１０１の、周囲の濃度と中央部の濃度を比較し、中央部の濃度が濃い、薄い、同じのいずれかを、操作表示部１０４の入力部１４２を介して画像変換部１０１に設定する。この設定結果が、ノズル間オーバーラップ部の黒スジ、白スジ、スジなしの情報となる。
【０１２６】
ユーザは、画像ｉ１０２の、周囲の濃度と中央部の濃度を比較し、中央部の濃度が濃い、薄い、同じのいずれかを、操作表示部１０４の入力部１４２を介して画像変換部１０１に設定する。この設定結果が、スキャン間オーバーラップ部の黒スジ、白スジ、スジなしの情報となる。
【０１２７】
図１５は、図１３に示す変換パラメータを用いた場合のつなぎ部の画像形成の例を示す図である。図１５に示すつなぎ部の画像における画質劣化を低減する効果について説明する。
【０１２８】
図１５に示す模式図ａｒ５０１、ａｒ５０２は、ドットの着弾位置を表した模式図である。図１５に示す白抜きの丸は、上流側の記録ヘッドによるインクの着弾位置を表し、黒塗りの丸は、下流側の記録ヘッドによるインクの着弾位置を表す。また、丸の大きさはインク滴の大きさを表す。
【０１２９】
模式図ａｒ５１１、ａｒ５１２は、インク使用量を１画素単位の面積で濃度に変換した模式図であり、実際に印字される画像のイメージ図である。
【０１３０】
図１５（Ａ）は、つなぎ部のノズルが近づく方向に位置する場合、すなわち黒スジ発生時に、変換パターンｐ１１１およびｐ１１２を用いて印字を行った場合の模式図である。図１５（Ａ）と、図８（Ｂ）および図１２（Ａ）とを比較すると、よりつなぎ部の濃度差が低減されることが分かる。
【０１３１】
図１５（Ｂ）は、つなぎ部のノズルが離れる方向に位置する場合、すなわち白スジ発生時に、変換パターンｐ１２１およびｐ１２２を用いて印字を行った場合の模式図である。図１５（Ｂ）と、図８（Ｃ）および図１２（Ｂ）と比較し、よりつなぎ部の濃度差が低減されることが分かる。
【０１３２】
画像データ変換部１１６は、黒スジ、白スジ発生の情報に応じてつなぎ部データの変換パラメータを切り替える、つまり画像変換の方法を切り替えることで、より画質劣化の低減効果を高めることができる。
【０１３３】
本実施例では、黒スジ発生時、白スジ発生時の２パターンでつなぎ部データの変換パラメータの係数を変更する方法を示した。また、黒スジ、白スジの濃度などから、より細かい条件でつなぎ部データの変換パラメータの重みが変更されることで、より高い効果が得られることは明らかである。
【０１３４】
次に、温度変化に基づく変換パラメータの切り替えについて説明する。図１６は、周囲温度の変化による、インク滴のインク使用量の変化と、温度に応じた変換パラメータの切り替えについて説明する図である。
【０１３５】
図１６（Ａ）に示す表は、各温度における大滴、中滴、小滴のインク使用量を表す。図１６（Ａ）に示す表は、周囲温度によりインク使用量は変化する。
【０１３６】
周囲温度によりインク使用量は変化し、大滴、中滴、小滴のインク使用量の変化率はそれぞれ異なるため、大滴、中滴、小滴のインク使用量の比率は周囲温度により変化する。この変化に応じて、つなぎ部における変換パラメータが予め作成され、画像データ変換部１１６は、周囲温度に応じて変換パラメータを変更、つまり画像変換の方法を切り替えることで、より高精度につなぎ部の画像劣化を低減することが可能になる。
【０１３７】
図１６（Ｂ）に示す表は、周囲温度に応じたつなぎ部における変換パラメータの一例を示す。ＣＰＵ１０２は、各温度に応じたつなぎ部の変換パラメータ（パターン０Ａ〜パターン２０Ｃ）を、内部の記録領域に予め記憶しておく。
【０１３８】
画像記録開始時に、ＣＰＵ１０２は、画像形成部１０３の温度センサ１３５が取得した温度情報を、インターフェース１３１を介して画像形成部１０３から取得する。ＣＰＵ１０２は、各温度に応じたつなぎ部の変換パラメータが、周囲温度に応じて、画像変換部１０１に設定される。
【０１３９】
＜動作＞
図１７は、実施例１における画像変換処理の一例を示すフローチャートである。図１７に示す処理は、画像変換部１０１が、多値の印刷画像データから、画像形成のためのデータを処理するフローである。
【０１４０】
ステップＳ１０１で、画像変換部１０１は、画像形成が開始されると、画像処理部１１２で画像処理を行う。ここでは、画像処理部１１２は、印刷画像である多値の画像データに画像処理を行い、小値の画像データに変換する。
【０１４１】
小値の画像データとは、記録ヘッド５が吐出する滴サイズと対応するデータであり、例えば滴サイズが大滴、中滴、小滴の３種類であれば、滴なし（吐出なし）データを含んだ、４値のデータへと変換する。
【０１４２】
ステップＳ１０２で、画像データ変換部１１６は、小値の画像データを、次回１スキャンで記録（インク吐出）する画像単位に画像変換処理を行う。ここでは、画像データ変換部１１６は、記録ヘッド５の構成に合わせたデータへと変換し、記録ヘッドの各ノズルが記録するデータに変換する。
【０１４３】
ステップＳ１０３で、画像データ変換部１１６は、画像変換されたデータに基づいてインク吐出制御を開始すると、画像変換されたデータが、つなぎ部の画像であるかどうかを判定する。つなぎ部の画像であれば（ステップＳ１０３−ＹＥＳ）ステップＳ１０４に進み、つなぎ部の画像でなければ（ステップＳ１０３−ＮＯ）画像変換処理が終了する。
【０１４４】
ステップＳ１０４で、画像データ変換部１１６は、つなぎ部の画像に対してデータ変換処理を行う。このデータ変換処理は、つなぎ部上流の記録ヘッド５と、つなぎ部下流の記録ヘッドの５データをそれぞれ変換し、つなぎ部から吐出されるドットの滴サイズを変換する。
【０１４５】
画像データ変換部１１６は、滴サイズの変換については、インターフェース１１５を介してＣＰＵ１０２から与えられる変換パラメータに従って行う。
【０１４６】
以上の処理を行うことで、つなぎ部においてできるだけ全てのノズルを使用するようにして画像を形成するので、つなぎ部の濃度変化を低減させ、黒スジ、白スジをより目立たなくすることができる。
【０１４７】
なお、上記例では、シリアル方式の画像形成装置を例にして説明したが、ライン方式の画像形成装置においても同様の方法を実施することができる。
【０１４８】
図１８は、ライン方式の画像形成を説明する図である。図１８に示す例では、ヘッド固定部材３０は、シート材（記録紙）１１搬送方向（Ｙ）と直交する主走査方向（Ｘ）の端から端まで掛け渡されるように固定されている。
【０１４９】
ヘッド固定部材３０は、記録ヘッド５を上側から固定する部材であり、記録ヘッド５の下を記録紙１１が搬送される。また、ヘッド固定部材３０には、上流側からＫＣＭＹのインクの記録ヘッド５がそれぞれ主走査方向の全域に配置されている。
【０１５０】
また、各色の記録ヘッド５は、各記録ヘッドの端部が重複するように配置されている。各記録ヘッドからインクが吐出され、カラー画像が形成される。ライン方式の画像形成装置においてもヘッド間オーバーラップが用いられ、記録ヘッド５の取り付け位置の位置合わせが高精度に行われないと、記録ヘッド５の各走査における画像形成の相対位置が合わなくなる。よって、ライン方式でも、つなぎ部における印字画像ずれが生じるという問題が生じるので、ライン方式の画像形成装置においても実施例の処理を適用することができる。
【０１５１】
以上、実施例１によれば、つなぎ部における印刷画像の濃度変化を低減し、画質の向上を図ることができる。
【０１５２】
［実施例２］
次に、実施例２における画像形成システムについて説明する。図１９は、実施例２における画像形成システム１５０の一例を示す図である。図１９に示す画像形成システム１５０は、シリアル方式の画像形成装置１００と、情報処理装置であるサーバ（ＤＦＥ：Digital Front End）２００とがデータ通信可能なように接続されている。
【０１５３】
画像形成装置１００の構成は、実施例１とほぼ同様であるため、同じ符号を付す。実施例１と異なる点は、画像変換部１０１の構成が、サーバ２００に備えられていることである。
【０１５４】
画像形成システム１５０では、サーバ２００において画像変換処理を行って、画像形成装置１００が画像変換後のデータを取得し、画像形成を行う構成になっている。
【０１５５】
図２０は、実施例２における各部の概略構成例を示す図である。図２０に示すサーバ２００は、各ＰＣ（Personal Computer）と、画像形成装置１００とデータ通信可能なように接続されている。
【０１５６】
サーバ２００は、制御部２０１、主記憶部２０２、補助記憶部２０３、Ｉ／Ｆ（インターフェース）部２０４、及びネットワークＩ／Ｆ部２０５を備える。
【０１５７】
制御部２０１は、サーバ２００の中で、各装置の制御やデータの演算、加工を行うＣＰＵである。制御部２０１は、主記憶部２０２に記憶されたプログラムを実行する演算装置で、入力装置や記憶装置からデータを受け取り、演算、加工した上で、出力装置や記憶装置に出力する。制御部２０１は、画像変換プログラムを実行し、前述した画像変換処理（画像変換部１０１の処理）を実行する。
【０１５８】
主記憶部２０２は、ＲＯＭ（Read  Only  Memory）やＲＡＭ（Random  Access  Memory）などであり、制御部２０１が実行する基本ソフトウェアであるＯＳやアプリケーションソフトウェアなどのプログラムやデータを記憶又は一時保存する記憶装置である。
【０１５９】
補助記憶部２０３は、ＨＤD（Hard  Disk  Drive）などであり、アプリケーションソフトウェアなどに関連するデータを記憶する記憶装置である。また、補助記憶部２０３には、前述した画像変換処理を実行させるプログラムなどが格納され、データベース（ＤＢ：DataBase）、ファイルシステム（ＦＳ：File  System）などの機能により管理される。
【０１６０】
Ｉ／Ｆ部２０４は、画像形成装置１００と通信を行うインターフェースであり、画像変換後のデータを画像形成装置１００に送信したりする。
【０１６１】
ネットワークＩ／Ｆ部２０５は、有線及び／又は無線回線などのデータ伝送路により構築されたＬＡＮ（Local  Area  Network）、ＷＡＮ（Wide  Area  Network）、ＦＡＸなどのネットワークを介して接続された通信機能を有する各ＰＣなどのインターフェースである。
【０１６２】
画像形成装置１００は、制御部（ＣＰＵ）１０２、画像形成部１０３、操作表示部１０４、及びＩ／Ｆ部１０５を備える。実施例２における構成で、実施例１と同じ構成は同じ符号を付す。
【０１６３】
Ｉ／Ｆ部１０５は、サーバ２００と通信を行うためのインターフェースである。Ｉ／Ｆ部１０５は、サーバ２００から画像変換されたデータを取得し、画像形成部１０３に出力する。
【０１６４】
以上、実施例２によれば、画像変換部１０１を画像形成装置１００の外付けサーバ２００に備えさせることで、画像形成システムとしても実施例１と同様の効果を得ることができる。
【０１６５】
［実施例３］
次に、実施例３における出力物を生産する方法について説明する。実施例３では、実施例１や実施例２における画像形成が記録紙（記録媒体）に行われて、出力物が生産される方法について説明する。
【０１６６】
実施例３における出力物は、インクと記録媒体とを用いて生産される。図２１は、実施例３における出力物の生産処理の一例を示すフローチャートである。
【０１６７】
図２１に示すステップＳ２０１で、画像変換部１０１は、１又は複数の記録ヘッドの１回の走査で出力する画像単位に画像データを変換する際に以下の変換処理を行う。
【０１６８】
画像変換部１０１は、記録ヘッドの端部が重複するように走査される場合の、この記録ヘッドの端部が重複する領域を形成する各画素を、異なるノズルを用いて少なくとも２回のインク吐出により形成されるように画像データを変換する。または、画像変換部１０１は、隣接する２つの記録ヘッドの端部が重複する場合の、この２つの記録ヘッドの端部が重複する領域を形成する各画素を、異なるノズルを用いて少なくとも２回のインク吐出により形成されるように画像データを変換する。
【０１６９】
ステップＳ２０２で、画像形成部１０３は、画像変換された画像データに基づき、重複する領域を形成する各画素を、異なるノズルを用いて少なくとも２回のインク吐出により記録媒体に形成する。これにより、出力物が生産される。
【０１７０】
なお、実施例１で説明した、高低情報や温度情報を用いた画像変換部１０１の処理が行われて、その処理に基づいてインクが記録媒体に吐出されることで、出力物が生成されてもよい。
【０１７１】
以上、画像変換装置、画像形成装置、画像形成システム、出力物の生産方法の各実施例について詳述したが、本発明は係る特定の実施例に限定されるものではない。また、特許請求の範囲に記載された本発明の要旨の範囲内において、上記実施例以外にも種々の変形・変更が可能である。
【符号の説明】
【０１７２】
４  キャリッジ
５  記録ヘッド
８  キャリッジモータ
９  紙送りモータ
１０  モータ制御部
１０１  画像変換部
１０２  ＣＰＵ
１０３  画像形成部
１１１  ＲＡＭ
１１２  画像処理部
１１５  インターフェース
１１６  画像データ変換部
１３１  インターフェース
１３２  記録ヘッド制御部
１３３  ＲＡＭ
１３４  モータ制御部
【先行技術文献】
【特許文献】
【０１７３】
【特許文献１】特開２０１０−２６０３３８号公報
【図１】
2014113708.tif 000003
【図２】
2014113708.tif 000004
【図３】
2014113708.tif 000005
【図４】
2014113708.tif 000006
【図５】
2014113708.tif 000007
【図１１】
2014113708.tif 000008
【図１３】
2014113708.tif 000009
【図１６】
2014113708.tif 000010
【図１７】
2014113708.tif 000011
【図１８】
2014113708.tif 000012
【図１９】
2014113708.tif 000013
【図２０】
2014113708.tif 000014
【図２１】
2014113708.tif 000015
【図６】
2014113708.tif 000016
【図７】
2014113708.tif 000017
【図８】
2014113708.tif 000018
【図９】
2014113708.tif 000019
【図１０】
2014113708.tif 000020
【図１２】
2014113708.tif 000021
【図１４】
2014113708.tif 000022
【図１５】
2014113708.tif 000023